(57)【要約】【課題】複数の方向に物体を挿入し、係止することができる留め具を提供する。【解決手段】第１面及び互いに対向する二つの第２面を有する筐体と、第１面に設けた第１スロットと、二つの第２面それぞれに設けられ、第１方向に貫通した第１貫通孔と、第１スロットに挿入される第１雄部と、第１雄部に設けられ、対向する複数の第１貫通孔を連通させる第１連通路と、筐体に収容され、挿入された第１雄部を外向きに付勢する第１付勢部材と、第２面の一方に第１貫通孔から離隔して設けた第２スロットと、第１面及び第１面に対向する筐体の第３面それぞれに設けられ、第１方向に交差する第２方向に貫通した第２貫通孔と、第２スロットに挿入される第２雄部と、第２雄部に設けられ、対向する複数の第２貫通孔を連通させる第２連通路と、筐体に収容され、挿入された第２雄部を外向きに付勢する第２付勢部材とを備える留め具。【選択図】図１
2018015321.tif 000002
【特許請求の範囲】
【請求項１】
第１面及び互いに対向する二つの第２面を有する筐体と、前記第１面に設けられた第１スロットと、前記二つの第２面それぞれに設けられ、第１方向に貫通した第１貫通孔と、前記第１スロットに挿入される第１雄部と、該第１雄部に設けられており、対向する複数の前記第１貫通孔を連通させる第１連通路と、前記筐体に収容されており、挿入された前記第１雄部を外向きに付勢する第１付勢部材とを備える留め具において、
前記第２面の一方に前記第１貫通孔から離隔して設けられた第２スロットと、
前記第１面及び第１面に対向する前記筐体の第３面それぞれに設けられており、前記第１方向に交差する第２方向に貫通した第２貫通孔と、
前記第２スロットに挿入される第２雄部と、
該第２雄部に設けられており、対向する複数の前記第２貫通孔を連通させる第２連通路と、
前記筐体に収容されており、挿入された前記第２雄部を外向きに付勢する第２付勢部材と
を備えることを特徴とする留め具。
【請求項２】
複数の第１貫通孔と複数の第１連通路とが第２方向に並設されており、
複数の第２貫通孔と複数の第２連通路とが第１方向に並設されていること
を特徴とする請求項１に記載の留め具。
【請求項３】
前記第１方向及び第２方向に交差する第３方向に前記筐体内の空間を仕切る仕切部を備えること
を特徴とする請求項１又は２に記載の留め具。
【発明の詳細な説明】
【技術分野】
【０００１】
本発明は、物体（例えば布）を留める留め具に関する。
【背景技術】
【０００２】
従来、紐又はコード等を留めるコードロックが提案されている。コードロックは雌具と、該雌具に挿入される雄具と、雌具内に配置されており、雄具を外向きに付勢する付勢部材とを備える。雄具及び雌具それぞれに通し孔が形成されている。
【０００３】
雄具に力を付与し、付勢部材の付勢力に抗して、雄具を雌具に押し入れ、雄具の通し孔と雌具の通し孔とを整合させて、各通し孔に紐又はコードを挿入する。その後、雄具への力の付与を解除し、付勢部材の付勢力によって雄具は外向きに移動し、雄具の通し孔の位置と雌具の通し孔の位置がずれて、雄具と雌具との間で紐又はコードが挟まれ、ロックされる。
【先行技術文献】
【特許文献】
【０００４】
【特許文献１】特許第５６８７８５０号公報
【発明の概要】
【発明が解決しようとする課題】
【０００５】
前記コードロックにおいては、紐又はコード等を挿入する方向は単一の方向に限定されており、複数の方向に物体を挿入することができない。
【０００６】
本発明は斯かる事情に鑑みてなされたものであり、複数の方向に物体を挿入し、係止することができる留め具を提供することを目的とする。
【課題を解決するための手段】
【０００７】
本発明に係る留め具は、第１面及び互いに対向する二つの第２面を有する筐体と、前記第１面に設けられた第１スロットと、前記二つの第２面それぞれに設けられ、第１方向に貫通した第１貫通孔と、前記第１スロットに挿入される第１雄部と、該第１雄部に設けられており、対向する複数の前記第１貫通孔を連通させる第１連通路と、前記筐体に収容されており、挿入された前記第１雄部を外向きに付勢する第１付勢部材とを備える留め具において、前記第２面の一方に前記第１貫通孔から離隔して設けられた第２スロットと、前記第１面及び第１面に対向する前記筐体の第３面それぞれに設けられており、前記第１方向に交差する第２方向に貫通した第２貫通孔と、前記第２スロットに挿入される第２雄部と、該第２雄部に設けられており、対向する複数の前記第２貫通孔を連通させる第２連通路と、前記筐体に収容されており、挿入された前記第２雄部を外向きに付勢する第２付勢部材とを備えることを特徴とする。
【０００８】
本発明においては、第１貫通孔及び第１連通路の位置を整合させて、第１貫通孔及び第１連通路に第１方向に沿って物体を挿入し、第２貫通孔及び第２連通路の位置を整合させて、第２貫通孔及び第２連通路に第２方向に沿って物体を挿入する。
【０００９】
本発明に係る留め具は、複数の第１貫通孔と複数の第１連通路とが第２方向に並設されており、複数の第２貫通孔と複数の第２連通路とが第１方向に並設されていることを特徴とする。
【００１０】
本発明においては、第１方向に複数の物体を挿入し且つ第２方向に複数の物体を挿入する。例えば、四角の布の角部分を係止する場合、対向する二つの角部を第１方向に沿って、複数の第１貫通孔及び第１連通路にそれぞれ挿入する。そして残りの二つの角部を第２方向に沿って、複数の第２貫通孔及び第２連通路にそれぞれ挿入し、四角の布を袋状にする。
【００１１】
本発明に係る留め具は、前記第１方向及び第２方向に交差する第３方向に前記筐体内の空間を仕切る仕切部を備えることを特徴とする。
【００１２】
本発明においては、仕切部によって、第１雄部及び第２雄部の干渉を回避することができる。また第１雄部及び第２雄部の移動において、仕切部はガイドとして機能する。
【発明の効果】
【００１３】
本発明に係る留め具にあっては、第１貫通孔及び第１連通路の位置を整合させて、第１貫通孔及び第１連通路に第１方向に沿って物体を挿入し、第２貫通孔及び第２連通路の位置を整合させて、第２貫通孔及び第２連通路に第２方向に沿って物体を挿入する。そのため、異なる方向に物体を挿入し、係止させることができる。
【図面の簡単な説明】
【００１４】
【図１】留め具を略示する斜視図である。
【図２】留め具を略示する分解斜視図である。
【図３】図１のＩＩＩ−ＩＩＩ線を切断線とした略示断面図である。
【図４】四角の布を留め具にて係止させた状態を示す模式図である。
【発明を実施するための形態】
【００１５】
以下本発明を実施の形態に係る留め具１を示す図面に基づいて説明する。図１は、留め具１を略示する斜視図、図２は、留め具１を略示する分解斜視図である。以下の説明では図に示す上下左右前後を使用する。なお前後方向は第１方向に対応し、左右方向は第２方向に対応し、上下方向は第３方向に対応する。
【００１６】
留め具１は、雌部２と、該雌部２に挿入される第１雄部３及び第２雄部４とを備える。雌部２は、直方体状の筐体２０を備える。筐体２０における前面２０ｂの上部及び後面２０ｃの上部それぞれに、前後方向に貫通した二つの第１貫通孔２１、２１が左右方向に並設されている。
【００１７】
前面２０ｂ及び後面２０ｃは互いに対向し、前面２０ｂの第１貫通孔２１、２１と、後面２０ｃの第１貫通孔２１、２１とは、互いに対向する位置に配されている。右面２０ａの上部には、前後方向に延びた第１スロット２２が形成されている。
【００１８】
右面２０ａの下部及び左面２０ｄの下部それぞれに、左右方向に貫通した二つの第２貫通孔２３、２３が前後方向に並設されている。
【００１９】
右面２０ａ及び左面２０ｄは互いに対向し、右面２０ａの第２貫通孔２３、２３と、左面２０ｄの第２貫通孔２３、２３とは、互いに対向する位置に配されている。前面２０ｂの下部には、左右方向に延びた第２スロット２４が形成されている。なお右面２０ａは第１面に対応し、前面２０ｂ及び後面２０ｃは第２面に対応し、左面２０ｄは第３面に対応する。右面２０ａ及び左面２０ｄと前面２０ｂ及び後面２０ｃとは略直交する。
【００２０】
筐体２０の内側において、筐体２０内の空間を上下方向に仕切る板状の仕切部２５が設けられている。第１貫通孔２１及び第１スロット２２は仕切部２５よりも上側に配置されている。第２貫通孔２３及び第２スロット２４は仕切部２５よりも下側に配置されている。
【００２１】
仕切部２５によって、筐体２０内には上室２６及び下室２７が形成されている。上室２６に第１付勢部材５１が収容されており、下室２７に第２付勢部材５２が収容されている。なお第１付勢部材５１及び第２付勢部材５２としては、例えばコイルばね、板ばね又はゴム等が挙げられる。
【００２２】
第１雄部３は、第１スロット２２に挿入される直方体状の本体３０と、該本体３０の右側面に設けられたフランジ３３とを備える。本体３０には、対向する二つの第１貫通孔２１、２１を連通させる前後に貫通した第１連通路３１が左右に二つ並設されている。
【００２３】
第１連通路３１の左右位置は第１貫通孔２１の左右位置に対応する。より詳細には、右側の第１連通路３１と、筐体２０の前面２０ｂ及び後面２０ｃにおける右側の第１貫通孔２１、２１とが対応し、左側の第１連通路３１と、前記前面２０ｂ及び後面２０ｃにおける左側の第１貫通孔２１、２１とが対応する。
【００２４】
本体３０の上面及び下面には、第１スロット２２の内側縁部に係止する係止部３２が設けられている。フランジ３３の上下前後寸法は、第１スロット２２の上下前後寸法よりも大きく、第１スロット２２には挿入されない。
【００２５】
第１付勢部材５１は、第１スロット２２に挿入された第１雄部３を右向きに、換言すれば外向きに付勢する。第１付勢部材５１によって右向きに付勢されても、係止部３２が第１スロット２２の内側縁部に係止するので、第１雄部３は第１スロット２２から抜けない。第１雄部３に左向きの力を付与しても、フランジ３３が第１スロット２２の外側縁部に係止するので、第１雄部３の全体が筐体２０内に入り込むことはない。
【００２６】
第２雄部４は、第２スロット２４に挿入される直方体状の本体４０と、該本体４０の前側面に設けられたフランジ４３とを備える。本体４０には、対向する二つの第２貫通孔２３、２３を連通させる左右に貫通した第２連通路４１が前後に二つ並設されている。
【００２７】
第２連通路４１の前後位置は第２貫通孔２３の前後位置に対応する。より詳細には、前側の第２連通路４１と、筐体２０の右面２０ａ及び左面２０ｄにおける前側の第２貫通孔２３、２３とが対応し、後側の第２連通路４１と、右面２０ａ及び左面２０ｄにおける後側の第２貫通孔２３、２３とが対応する。
【００２８】
本体４０の上面及び下面には、第２スロット２４の内側縁部に係止する係止部４２が設けられている。フランジ４３の上下左右寸法は、第２スロット２４の上下左右寸法よりも大きく、第２スロット２４には挿入されない。
【００２９】
第２付勢部材５２は、第２スロット２４に挿入された第２雄部４を前向きに、換言すれば外向きに付勢する。第２付勢部材５２によって前向きに付勢されても、係止部４２が第２スロット２４の内側縁部に係止するので、第２雄部４は第２スロット２４から抜けない。第２雄部４に後向きの力を付与しても、フランジ４３が第２スロット２４の外側縁部に係止するので、第２雄部の４全体が筐体２０内に入り込むことはない。
【００３０】
図３は、図１のＩＩＩ−ＩＩＩ線を切断線とした略示断面図である。図３Ａは、第１雄部３及び第２雄部４に力を付与し、第１付勢部材５１及び第２付勢部材５２の付勢力に抗して、第１雄部３及び第２雄部４を筐体２０に押し込んだ状態を示し、図３Ｂは、第１雄部３及び第２雄部４に力を付与していない状態を示す。
【００３１】
図３Ａに示すように、第１雄部３及び第２雄部４を筐体２０に押し込んだ場合、対向する二つの第１貫通孔２１、２１の左右位置と、第１連通路３１の左右位置とが整合する。また対向する二つの第２貫通孔２３、２３の前後位置と、第２連通路４１の前後位置とが整合する。ユーザは、前後方向に沿って、物体を第１貫通孔２１及び第１連通路３１に挿入し、左右方向に沿って、物体を第２貫通孔２３、２３及び第２連通路４１に挿入することができる。
【００３２】
図３Ｂに示すように、第１雄部３及び第２雄部４に力を付与していない場合、対向する二つの第１貫通孔２１、２１の左右位置と、第１連通路３１の左右位置とが整合せず、また対向する二つの第２貫通孔２３、２３の前後位置と、第２連絡路の前後位置とが整合しない。
【００３３】
そのため、第１雄部３及び第２雄部４を筐体２０に押し込み、物体を第１貫通孔２１及び第１連通路３１に挿入し、その後、第１雄部３及び第２雄部４への力の付与を解除することによって、物体は、第１雄部３及び第２雄部４と筐体２０との間で狭持され、係止される。
【００３４】
ユーザは、例えば四角の布の各角部を留め具１にて係止させて、四角の布６０を袋状に形成することができる。図４は、四角の布６０を留め具１にて係止させた状態を示す模式図である。
【００３５】
四角の布６０の互いに対向する第１角部６１及び第２角部６２が、左右に並んだ第１貫通孔２１及び第１連通路３１にそれぞれ挿入され、係止されている。例えば、第１角部６１が、前面２０ｂ及び後面２０ｃにおける左側の第１貫通孔２１、２１と、左側の第１連通路３１とに、後側から挿入され、係止される。第２角部６２が、前面２０ｂ及び後面２０ｃにおける右側の第１貫通孔２１、２１と、右側の第１連通路３１とに前側から挿入され、係止される。
【００３６】
また四角の布６０の互いに対向する残りの角部、すなわち第３角部６３及び第４角部６４が、前後に並んだ第２貫通孔２３及び第２連通路４１にそれぞれ挿入され、係止されている。例えば、第３角部６１が、右面２０ａ及び左面２０ｄにおける前側の第２貫通孔２３、２３と、前側の第２連通路４１とに右側から挿入され、係止される。第４角部６４が、右面２０ａ及び左面２０ｄにおける後側の第２貫通孔２３、２３と、後側の第２連通路４１とに左側から挿入され、係止される。
【００３７】
四角の布６０の各角部６１〜６４が留め具１に集められているので、留め具１及び角部６１〜６４を取手にした袋が形成される。ユーザは、ハンカチ又はふくさ等の四角の布６０と共に、留め具１を携帯することによって、必要に応じて袋を形成することができる。
【００３８】
実施の形態に係る留め具１にあっては、第１貫通孔２１及び第１連通路３１の位置を整合させて、第１貫通孔２１及び第１連通路３１に左右方向に沿って物体を挿入し、第２貫通孔２３及び第２連通路４１の位置を整合させて、第２貫通孔２３及び第２連通路４１に前後方向に沿って物体を挿入する。そのため、異なる方向に物体を挿入し、係止させることができる。
【００３９】
また左右方向に複数の物体を挿入し且つ前後方向に複数の物体を挿入する。例えば、四角の布６０の角部６１〜６４を係止する場合、対向する二つの角部６１、６２を前後方向に沿って、左右に並んだ第１貫通孔２１及び第１連通路３１にそれぞれ挿入する。そして残りの二つの角部６３、６４を左右方向に沿って、前後に並んだ第２貫通孔２３及び第２連通路４１にそれぞれ挿入し、四角の布６０を袋状にすることができる。
【００４０】
また仕切部２５によって、第１雄部３及び第２雄部４の干渉を回避することができる。また第１雄部３は仕切部２５及び筐体２０の上面部との間を移動するので、第１雄部３の移動において、仕切部２５はガイドとして機能する。また第２雄部４は仕切部２５及び筐体２０の下面部との間を移動するので、第２雄部４の移動において、仕切部２５はガイドとして機能する。即ち、仕切部２５によって、第１雄部３及び第２雄部４の円滑な移動が促進される。
【００４１】
なお第１貫通孔２１、第２貫通孔２３、第１連通路３１及び第２連通路４１の数は、一つ又は三つ以上であってもよい。筐体２０は、上室２６及び下室２７の二つの室を備えているが、筐体２０を直方体状以外の多角形状に形成し、三つ以上の室を設けてもよい。例えば、筐体２０を平面視正六角形状又は正八角形状に形成し、上下に三つの室又は四つの室を形成し、それぞれの室に対応する貫通孔を筐体２０に形成し、三つ以上の室それぞれに対応する雄部を設けてもよい。留め具１は布６０以外の物体、例えば紐、コード等を係止してもよい。
【００４２】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４３】
１  留め具
２  雌部
２０  筐体
２０ａ  右面（第１面）
２０ｂ  前面（第２面）
２０ｃ  後面（第２面）
２０ｄ  左面（第３面）
２１  第１貫通孔
２２  第１スロット
２３  第２貫通孔
２４  第２スロット
２５  仕切部
３  第１雄部
３１  第１連通路
４  第２雄部
４１  第２連通路
５１  第１付勢部材
５２  第２付勢部材
【図１】
2018015321.tif 000003
【図２】
2018015321.tif 000004
【図３】
2018015321.tif 000005
【図４】
2018015321.tif 000006